【手続補正書】
【提出日】平成20年7月4日(2008.7.4)
【手続補正１】
【補正対象書類名】明細書
【補正対象項目名】特許請求の範囲
【補正方法】変更
【補正の内容】
【特許請求の範囲】
【請求項１】  少なくとも一種類の視覚的に照合可能な光学的効果を生じさせる少なくとも一つの多層セキュリティエレメントを備えた、銀行紙幣、証書等のような有価文書を作成するためのセキュリティペーパーであって、該セキュリティペーパーの表面の少なくとも一部分に前記セキュリティエレメントが配置されてなるものにおいて、
前記セキュリティエレメントが、少なくとも一個の集積回路を備えていることを特徴とするセキュリティペーパー。
【請求項２】  前記セキュリティエレメントが、視る角度によって異なる視覚的印象を与える光学的に変化する効果を生じさせることを特徴とする請求項１記載のセキュリティペーパー。
【請求項３】  前記セキュリティエレメントが光学的に変化する着色剤を含んでいることを特徴とする請求項１または２記載のセキュリティペーパー。
【請求項４】  前記セキュリティエレメントが、レリーフ構造の形態で回折構造が存在する少なくとも一つの層を備えていることを特徴とする請求項１から３のいずれか１項記載のセキュリティペーパー。
【請求項５】  前記回折構造が、少なくとも或る領域において反射層と組み合わされていることを特徴とする請求項４記載のセキュリティペーパー。
【請求項６】  前記セキュリティエレメントは、少なくとも一層の金属層および一層の誘電体層または屈折率の異なる少なくとも二層の誘電体層を有し、これら層が、反射光が視る角度により異なる印象を与えるように協働することを特徴とする請求項１から５のいずれか１項記載のセキュリティペーパー。
【請求項７】  前記集積回路が、前記光学的効果を生じさせる層と前記セキュリティペーパーとの間に配置されていることを特徴とする請求項１から６のいずれか１項記載のセキュリティペーパー。
【請求項８】  前記集積回路に対するエネルギーの供給が、カプリングエレメントを介して非接触的に行なわれることを特徴とする請求項１から７のいずれか１項記載のセキュリティペーパー。
【請求項９】  前記カプリングエレメントが、前記集積回路の一部分であることを特徴とする請求項８記載のセキュリティペーパー。
【請求項１０】  前記カプリングエレメントが、前記セキュリティペーパーの層内に配置されていることを特徴とする請求項８記載のセキュリティペーパー。
【請求項１１】  前記集積回路が、前記カプリングエレメントに接続されていることを特徴とする請求項１０記載のセキュリティペーパー。
【請求項１２】  前記セキュリティエレメントが、前記カプリングエレメントを形成する少なくとも一つの金属層を有することを特徴とする請求項１０または１１記載のセキュリティペーパー。
【請求項１３】  前記金属層が、前記光学的効果を生じさせる層から絶縁層によって分離されていることを特徴とする請求項１２記載のセキュリティペーパー。
【請求項１４】  前記金属層が同時に、前記光学的効果を生じさせる層の一つであることを特徴とする請求項１２記載のセキュリティペーパー。
【請求項１５】  前記カプリングエレメントが、折返しダイポール、またはコイル、または開放ダイポールであることを特徴とする請求項８から１４のいずれか１項記載のセキュリティペーパー。
【請求項１６】  前記折返しダイポールまたはコイルが、金属が被着されたコア帯を有することを特徴とする請求項１５記載のセキュリティペーパー。
【請求項１７】  前記集積回路が、メモリチップまたはマイクロプロセッサチップであることを特徴とする請求項１から１６のいずれか１項記載のセキュリティペーパー。
【請求項１８】  前記セキュリティエレメントが、前記セキュリティペーパーの表面上に完全に配置された転写エレメントまたはラベルであることを特徴とする請求項１から１７のいずれか１項記載のセキュリティペーパー。
【請求項１９】  前記セキュリティエレメントが、ストリップ形状を有することを特徴とする請求項１８記載のセキュリティペーパー。
【請求項２０】  前記セキュリティエレメントがセキュリティ糸であることを特徴とする請求項１から１７のいずれか１項記載のセキュリティペーパー。
【請求項２１】  前記カプリングエレメントが、少なくとも２０平方ミリメートルの面積を有することを特徴とする請求項８から１９のいずれか１項記載のセキュリティペーパー。
【請求項２２】  前記セキュリティエレメントが、前記セキュリティペーパーに対し非破壊的には分離できないように連結されていることを特徴とする請求項１から２１のいずれか１項記載のセキュリティペーパー。
【請求項２３】  少なくとも視覚的に照合可能な光学的効果を生じさせる少なくとも一つの多層セキュリティエレメントを備えた有価文書であって、前記セキュリティエレメントが該有価文書の表面上に完全に配置されているものにおいて、
前記セキュリティエレメントが少なくとも一個の集積回路を備えていることを特徴とする有価文書。
【請求項２４】  前記有価文書が、パスポート、または銀行紙幣、またはクレジットカードであることを特徴とする請求項２３記載の有価文書。
【請求項２５】  前記有価文書が、請求項１から２２のいずれか１項に記載されたセキュリティペーパーを備えていることを特徴とする請求項２３または２４記載の有価文書。
【請求項２６】  前記有価文書に、少なくとも前記セキュリティエレメントと重なり合う印刷が施されていることを特徴とする請求項２３から２５のいずれか１項記載の有価文書。
【請求項２７】  有価文書に施される多層セキュリティエレメントであって、該セキュリティエレメントが少なくとも一つの視覚的に照合可能な光学的効果を生じさせるものにおいて、
前記セキュリティエレメントが少なくとも一個の集積回路を備えていることを特徴とする多層セキュリティエレメント。
【請求項２８】  多層セキュリティエレメントを有価文書に施すための転写材料であって、該転写材料が、前記セキュリティエレメントの層構造がその上に除去可能に用意された担持層を有し、かつ前記セキュリティエレメントが少なくとも一つの視覚的に照合可能な光学的効果を生じさせるものにおいて、
前記セキュリティエレメントの層構造が少なくとも一個の集積回路を備えていることを特徴とする転写材料。
【請求項２９】  前記転写材料が、
担持層と、
光学的効果を生じさせる少なくとも一つの層と、
少なくとも一個の集積回路と、
を備えた層構造を有することを特徴とする請求項２８記載の転写材料。
【請求項３０】  前記光学的効果を生じさせる層が、光学的に変化する着色剤を含んでいることを特徴とする請求項２９記載の転写材料。
【請求項３１】  前記転写材料が、
担持層と、
レリーフ構造の形態の回折構造が存在する層と、
カプリングエレメントが形成された金属層と、
集積回路と、
熱融着接着剤層と、
を備えた層構造を有することを特徴とする請求項２８から３０のいずれか１項記載の転写材料。
【請求項３２】  前記転写材料が、
担持層と、
レリーフ構造の形態の回折構造が存在する層と、
前記回折構造が反射光内で観察されるのを可能にする反射層と、
絶縁層と、
カプリングエレメントが形成された金属層と、
集積回路と、
熱融着接着剤層と、
を備えた層構造を有することを特徴とする請求項２８から３０のいずれか１項記載の転写材料。
【請求項３３】  前記集積回路が、導電性接着剤層を介して前記カプリングエレメントに接続されていることを特徴とする請求項３１または３２記載の転写材料。
【請求項３４】  前記導電性接着剤層が、導電性銀層または異方性の導電性接着剤層であることを特徴とする請求項３３記載の転写材料。
【請求項３５】  前記カプリングエレメントが、折返しダイポール、またはコイル、または開放ダイポールであることを特徴とする請求項２８から３４のいずれか１項記載の転写材料。
【請求項３６】  前記集積回路が、メモリチップまたはマイクロプロセッサチップであることを特徴とする請求項２８から３４のいずれか１項記載の転写材料。
【請求項３７】  前記転写材料からなる転写層が、非自立型フォイルとして形成されていることを特徴とする請求項２９から３４のいずれか１項記載の転写材料。
【請求項３８】  多層セキュリティエレメントを有価文書に施すための転写材料の製造方法であって、該転写材料が、前記セキュリティエレメントの層構造がその上に取り除き可能に用意された担持層を有し、かつ前記セキュリティエレメントが少なくとも一つの視覚的に照合可能な光学的効果を生じさせるものにおいて、
少なくとも一個の集積回路が前記セキュリティエレメントの層構造内に組み込まれていることを特徴とする転写材料の製造方法。
【請求項３９】  （ａ）担持層を提供し、
（ｂ）光学的効果を生じさせる少なくとも一つの層を施し、
（ｃ）金属層を蒸着して、該金属層内にカプリングエレメントを形成し、
（ｄ）集積回路を取り付ける、
諸工程を含むことを特徴とする請求項３８記載の方法。
【請求項４０】  前記工程（ｃ）に先立って、前記カプリングエレメントおよびさらなる模様または文字の形状に可溶性インクがプリントされ、かつ前記工程（ｃ）の以後に前記インクが前記金属層とともに除去されることを特徴とする請求項３９記載の方法。
【請求項４１】  前記集積回路および前記カプリングエレメントが、導電性銀層または異方性の導電性接着剤層を介して相互接続されていることを特徴とする請求項３９または４０記載の方法。
【請求項４２】  前記工程（ｂ）において、レリーフ構造の形態の回折構造が次いでエンボスされる層が施されることを特徴とする請求項３９から４１のいずれか１項記載の方法。
【請求項４３】  前記工程（ｃ）において、前記回折構造のエンボス工程において硬化される紫外線硬化ラッカー層が施されることを特徴とする請求項４２記載の方法。
【請求項４４】  前記工程（ｂ）において、前記回折構造がエンボスされる層の少なくとも或る領域に反射層が施されることを特徴とする請求項４２または４３記載の方法。
【請求項４５】  前記工程（ｂ）において、少なくとも一層の金属層および一層の誘電体層または屈折率の異なる少なくとも二層の誘電体層が施され、これら層は、反射光を異なる角度から視たときに異なる視覚的印象を与えるように協働することを特徴とする請求項３９から４１のいずれか１項記載の方法。
【請求項４６】  前記光学的効果を生じさせる層と前記工程（ｃ）において施される金属層との間に絶縁層が配置されることを特徴とする請求項３９から４５のいずれか１項記載の方法。
【請求項４７】  工程（ｅ）において、接着剤層、好ましくは熱融着接着剤層が施されることを特徴とする請求項３９から４５のいずれか１項記載の方法。
【請求項４８】  セキュリティエレメントを備えた有価文書の作成方法であって、請求項２８から３７のいずれか１項に記載された転写材料の層構造が、前記有価文書の或る領域に転写され、次いで前記担持層が除去されることを特徴とする有価文書の作成方法。
【請求項４９】  有価文書の作成のために、請求項２８から３７のいずれか１項に記載された転写材料を使用すること。
【請求項５０】  製品の防護のために、請求項１から２２のいずれか１項に記載されたセキュリティペーパーを使用すること。
【請求項５１】  製品の防護のために、請求項２３から２６のいずれか１項に記載された有価文書を使用すること。